(57)【特許請求の範囲】
【請求項１】
複数の出店区画のそれぞれに移動可能な店舗を配置して、これらの店舗によるマーケットを運営するために用いられるコンピュータシステムであって、
店舗の識別情報および連絡先情報を含む店舗関連情報が、店舗毎に登録される店舗情報記憶部と、
前記複数の出店区画の位置を特定するための区画位置情報が区画毎に登録される区画情報記憶部と、
インターネットを介して前記店舗情報記憶部に登録されている店舗の識別情報を含む出店希望通知を受け付ける処理を、受付期間を限定して実施する出店希望受付手段と、
優先して出店させるべき店舗の条件を指定する操作を受け付けて、この条件への適合度が高いほど選択される確率が高められるようにした選択のルールに基づき、前記出店希望受付手段により受け付けられた出店希望通知中の識別情報に対応する店舗関連情報を分析して各出店区画に配置する店舗を選択し、選択された店舗の識別情報に対応する連絡先情報が示す連絡先に出店決定通知を送るための情報処理を実行する出店者決定手段とを、
具備するマーケット管理システム。
【請求項２】
前記店舗情報記憶部の店舗関連情報には、当該店舗関連情報にかかる店舗と共に移動して当該店舗の位置情報を報知する無線通信装置の識別情報が含まれており、
前記出店者決定手段により選択された店舗について前記店舗情報記憶部に識別情報が登録されている無線通信装置との通信により当該店舗の位置情報を取得すると共に、当該店舗に対して決定された出店区画について前記区画情報記憶部に登録されている区画位置情報と前記通信により取得した位置情報とを照合することによって、前記出店決定通知が送られた店舗が決定された区画に出店しているか否かを判別する出店管理手段を、さらに具備する請求項１に記載されたマーケット管理システム。
【請求項３】
前記店舗情報記憶部の店舗関連情報には、前記出店者決定手段および出店管理手段による過去の処理の結果を反映した数値情報が複数種含まれており、
前記出店者決定手段は、前記店舗情報記憶部に登録されている複数種の数値情報のうちの少なくとも１つに関して優先すべき順序を指定する操作を受け付け、この指定がなされた数値情報を対象にした分析処理によって当該指定に対する各店舗の適合度を判別する、
請求項２に記載されたマーケット管理システム。
【請求項４】
開催されるマーケットのスケジュール情報が登録されるスケジュール情報記憶部がさらに設けられ、
前記出店希望受付手段は、前記スケジュール情報が示すマーケットの開始時点より前の所定の期間を前記受付期間として前記出店希望通知を受け付け、前記出店管理手段は、前記出店決定通知が送られた店舗が決定された区画に出店しているか否かを判別する処理を、少なくとも前記スケジュール情報が示すマーケットの開催期間中に繰り返し実行する、請求項２に記載されたマーケット管理システム。
【請求項５】
前記店舗は、車輪および荷台を含むカート本体と、このカート本体に着脱可能に立設される業務用ユニットと、前記無線通信装置の機能とを備える多機能カートである、請求項２に記載されたマーケット管理システム。
【請求項６】
移動可能な店舗の識別情報および連絡先情報を含む店舗関連情報が、店舗毎に登録される店舗情報記憶部と、複数の出店区画の位置を特定するための区画位置情報が区画毎に登録される区画情報記憶部とを、インターネットに接続されたコンピュータシステムに設定し、当該コンピュータシステムにおいて、
インターネットを介して前記店舗情報記憶部に登録されている店舗の識別情報を含む出店希望通知を受け付ける処理を、受付期間を限定して実施するステップと、
優先して出店させるべき店舗の条件を指定する操作を受け付けて、この条件への適合度が高いほど選択される確率が高められるようにした選択のルールに基づき、受け付けられた出店希望通知中の識別情報に対応する店舗関連情報を分析して各出店区画に配置する店舗を選択するステップと、
選択された店舗の識別情報に対応する連絡先情報が示す連絡先に出店決定通知を送るための情報処理を実行するステップとを、実行するマーケット管理方法。
【発明の詳細な説明】
【技術分野】
【０００１】
本発明は、移動可能な店舗を集めてマーケットを運営するための管理用のシステムおよび管理方法に関する。
【背景技術】
【０００２】
従前より、携帯端末装置やカーナビゲーション装置などが備えるＧＰＳ機能を利用して移動販売業者の販売場所や移動状況を判別し、販売の管理や販促の支援などを行うためのＩＴ技術が開発されている。
【０００３】
たとえば、特許文献１には、移動販売が可能な駐車エリアの位置情報が登録されているサーバ装置において、移動販売車に設置されている売上端末装置から位置情報を含む斡旋要求を受け付けて、その位置情報に基づき最寄りの販売可能エリアを通知することが記載されている。さらに特許文献１には、営業を開始した後の売上端末装置から位置情報を含む売上データを送信し、サーバ装置において売上端末装置からの送信情報に基づき売上げ額やその売上げが発生した駐車エリアを特定し、売上げ額および駐車エリアの利用時間に応じた移動販売利用料を求めることが、記載されている。
【０００４】
また、特許文献２には、需要者が関心を持つ商品のカテゴリと移動販売業者が販売している商品のカテゴリとが登録されたサーバ装置において、双方の端末装置から送信される位置情報を受信し、需要者の端末装置の表示範囲内に入る販売者の端末装置が検出されたときに、両者に対応する登録情報を照合し、カテゴリの一致が検出されたことに応じて、いずれかの端末装置に他方の端末装置の位置情報を表示させることが記載されている。
【先行技術文献】
【特許文献】
【０００５】
【特許文献１】特開２０１４−１３４８３号公報
【特許文献２】特開２０１６−６２４１５号公報
【発明の概要】
【発明が解決しようとする課題】
【０００６】
上記特許文献１，２を含む従来の管理システムは、市中を移動しながら適所で停まって販売を行う移動販売業者を対象とするもので、営業の場所が定められている場合でも、一般に先着順で出店者が決まるため、付近の人々のニーズに適合する店舗が出店するとは限らない。複数の移動販売業者を一所に集めてマーケットを開催するために出店させる業者を選択するような場合にも、先着順で出店者を決める方法では遠方の業者の負荷が大きくなって敬遠され、顧客のニーズやマーケットの主催者の狙いに適した出店者を選択するのは難しい。
【０００７】
本発明は上記の問題に着目し、出店希望の受付や選択、ならびに出店状況の管理を容易に行うと共に、顧客のニーズや主催者の狙いに適した店舗を出店させることができるようにすることを目的とする。
【課題を解決するための手段】
【０００８】
本発明によるマーケット管理システムは、複数の出店区画のそれぞれに移動可能な店舗を配置して、これらの店舗によるマーケットを運営するために用いられるものである。
【０００９】
上記の「複数の出店区画」は、市中の空き地、公園、商業施設内のフリースペースなどのいわゆる広場に相当する場所や、人々が行き交う道に沿って延びる細長いエリアに設けることができる。ただし、これに限らず、ある程度の距離を隔てて分布する複数の場所のそれぞれを「区画」として統合管理してもよい。
【００１０】
上記の店舗は、位置情報を報知する機能を有する無線通信装置と共に移動させることができる。この無線通信装置は、店舗を構成する物品（販売用の車両や後述する多機能カートなど）に設備として配備されていることが望ましいが、これに限らず、店舗で業務を行う者が所持する携帯端末装置（スマートフォンなど）を上記の無線通信装置としてもよい。
【００１１】
本発明の管理システムには、店舗の識別情報および連絡先情報を含む店舗関連情報が店舗毎に登録される店舗情報記憶部と、複数の出店区画の位置を特定するための区画位置情報が区画毎に登録される区画情報記憶部とが設けられる。さらに、本発明のマーケット管理システムには、以下の出店希望受付手段および出店者決定手段の各機能が設けられる。
【００１２】
出店希望受付手段は、インターネットを介して前記店舗情報記憶部に登録されている店舗の識別情報を含む出店希望通知を受け付ける処理を、受付期間を限定して実施する。
【００１３】
出店者決定手段は、優先して出店させるべき店舗の条件を指定する操作を受け付けて、この条件への適合度が高いほど選択される確率が高められるようにした選択のルールに基づき、出店希望受付手段により受け付けられた出店希望通知中の店舗の識別情報に対応する店舗関連情報を分析して各出店区画に配置する店舗を選択する。そして、選択された店舗の識別情報に対応する連絡先情報が示す連絡先に出店決定通知を送るための情報処理を実行する。
【００１４】
本発明において、店舗情報記憶部の店舗関連情報に当該店舗で用いられる無線通信装置の識別情報を含めた場合には、出店者決定手段により選択された店舗について店舗情報記憶部に識別情報が登録されている無線通信装置との通信により当該店舗の位置情報を取得すると共に、当該店舗に対して決定した出店区画について前記区画情報記憶部に登録されている区画位置情報と前記通信により取得した位置情報とを照合することによって、前記出店決定通知が送られた店舗が決定された区画に出店しているか否かを判別する出店管理手段を設けることができる。この出店管理手段による判別結果は、管理システムに保存したり、システムに属する通信端末機器に送信して表示させることができる。
【００１５】
上記の管理システムによれば、様々な店舗の店舗関連情報を店舗情報記憶部に登録しておくことによって、マーケットの開始より前の所定期間内に、登録された店舗からの出店希望を受け付けて、それらの店舗の中から指定された条件への適合度が高い店舗を優先的に選択することができる。また、マーケットが開催される当日には、出店決定通知を送った店舗の無線通信端末装置から受信した位置情報をその店舗に割り当てられた区画の区画位置情報と照合することにより、各店舗が割り当てられた区画に出店しているか否かを容易に判別することができる。
【００１６】
また、出店希望を受け付けた各店舗の店舗関連情報を分析する際の条件設定を変動させることによって、マーケットが開催される会場の周囲の環境、会場周辺を行き来する人々の嗜好の傾向、マーケットが含まれるイベントのテーマ、その他の主催者側の狙いに適した店舗を選択することができる。
【００１７】
上記のマーケット管理システムの一実施形態では、前記店舗情報記憶部の店舗関連情報に、前記出店者決定手段および出店管理手段による過去の処理の結果を反映した数値情報が複数種含まれる（たとえば出店希望が認められた回数、出店回数、売上げ累計額など）。また出店者決定手段は、前記店舗情報記憶部に登録されている複数種の数値情報のうちの少なくとも１つに関して優先すべき順序を指定する操作を受け付け、この指定がなされた数値情報を対象にした分析処理によって当該指定に対する各店舗の適合度を判別する。よって、様々な内容のマーケットの設営に関して、感覚に頼ることなく、適切な店舗を容易に選択することが可能になる。
【００１８】
たとえば、実績のある店舗を中心とする安定したマーケットを開催したい場合には、過去の出店採用実績や売上げ実績などを表す数値が高い店舗が優先されるような指定を行えばよい。一方、目新しさが感じられるマーケットを開催するために、出店採用実績を示す数値が低い店舗が優先されるような指定を行ったり、業績が振るわない店舗や新規開業者を応援する目的で、出店実績を示す数値が低い店舗が優先されるような指定を行うことも可能である。
【００１９】
また他の実施形態による管理システムには、開催されるマーケットのスケジュール情報が登録されるスケジュール情報記憶部が設けられる。その場合、出店希望受付手段は、前記スケジュール情報が示すマーケットの開催時点より前の所定の期間を前記受付期間として出店希望通知を受け付ける。また出店管理手段は、出店者決定手段により出店決定通知が送られた店舗が決定された区画に出店しているか否かを判別する処理を、少なくとも前記スケジュール情報が示すマーケットの開催期間中に繰り返し実行する。
【００２０】
上記の実施形態によれば、スケジュール情報に基づき、マーケットの開始より前に出店者の受付および決定を着実に実行することができる。またマーケットの開催中には、各店舗が割り当てられた区画に出店しているか否かや、その区画に対する移動の状況を正確に把握することができる。
【００２１】
上記の管理システムにより管理される区画には、車輪および荷台を含むカート本体と、このカート本体に着脱可能に立設される業務用ユニットと、前記無線通信装置の機能とを備える多機能カートによる店舗を配置することができる。
【発明の効果】
【００２２】
本発明によれば、一定の期間内に出店希望を出した店舗を対象に、これらの店舗に関する情報を分析して顧客のニーズやマーケットの主催者の狙いに適した店舗を選択することができる。また、各店舗を位置情報を報知する機能を有する無線通信装置と共に移動させ、無線通信装置との通信により店舗の位置情報を取得することによって、選択された店舗の出店状況の管理を、効率良くかつ精度良く行うことができる。
【図面の簡単な説明】
【００２３】
【図１】本発明による管理が適用されたイベント会場の一部分の概略構成を示す説明図である。
【図２】電気供給用の第１のインフラ設備の電気構成を示すブロック図である。
【図３】水供給用の第２のインフラ設備の電気構成を示すブロック図である。
【図４】店舗として使用される多機能カートのカート本体の外観を示す斜視図である。
【図５】カート本体に業務用ユニットが連結された状態の多機能カートを示す斜視図である。
【図６】多機能カートの電気構成を示すブロック図である。
【図７】マーケット管理システムのソフトウェア構成を示す機能ブロックである。
【図８】各種データベースのデータ構成やデータベース間の関係を示す説明図である。
【図９】出店者を選択するための条件の設定画面の例を示す説明図である。
【図１０】出店者の決定処理に用いられる重み付けテーブルの例を示す説明図である。
【図１１】出店者決定処理の手順を示すフローチャートである。
【図１２】一出店者に対する１サイクル分の出店管理の手順を示すフローチャートである。
【図１３】インフラ設備の利用状況を管理する処理の手順を示すフローチャートである。
【発明を実施するための形態】
【００２４】
図１は、本発明による管理が適用されたイベント会場Ｐの一部分の概略構成を示すものである。このイベント会場Ｐは、市中の空き地に設営されたもので、来場者が通る通路に沿って複数の出店区画Ｒ０，Ｒ１，Ｒ２，・・が設けられ、出店者らに業務に必要な電気および水ならびに無線通信環境を提供するためのインフラ設備２Ｅ，２Ｗが適所に設置された形態のものである。また、出店区画Ｒ０，Ｒ１，Ｒ２・・・の周囲には、来場者の休息や食事のためのテーブル７や椅子８が配置される。
【００２５】
図中の出店区画Ｒ０〜Ｒ１０（以下、単に「区画」という。）のうち、イベント会場Ｐの入り口付近にある区画Ｒ０には、イベントの運営者による案内所が設けられ、後述する多機能カート３による案内カウンターが配置される。その他の区画Ｒ１，Ｒ２・・・は出店を希望する事業者の中から選ばれた者に割り当てられ、各々の事業者が所持またはイベント会場Ｐから貸与された多機能カート３や一般車両４（軽トラック，キッチンカーなど）による店舗が配置される。なお、店舗には、飲食物を提供するものや物品を販売するものの他に、占い，ゲームなどのアミューズメント系のサービスを提供するものや、演芸・音楽ライブを行うミニステージなども含まれる。
【００２６】
第１のインフラ設備２Ｅは、出店した店舗に電気を提供するためのものであり、第２のインフラ設備２Ｗは、営業中の店舗に水を提供するためのものである。この実施例では、第１のインフラ設備２Ｅは、隣り合う２つの区画内の境界位置または１つの区画内に設置される。第２のインフラ設備２Ｗは、３〜４区画での共同利用を想定して、区画Ｒ３，Ｒ８，Ｒ９に設置されている。
【００２７】
各インフラ設備２Ｅ，２Ｗは、関係者からあらかじめ許可を受けた上で、イベント会場Ｐの最寄りの建物の配電設備に接続され、この配電設備から商用電源の供給を受けて作動する。いずれのインフラ設備２Ｅ，２Ｗにも、マイクロコンピュータによる制御部２０や無線通信回路２１（図２，３参照。）が設けられており、情報の送受信を行う無線通信端末機器としての機能と共に、イベント会場Ｐにおける無線通信網のアクセスポイントとしての機能が設定される。
【００２８】
上記のイベント会場Ｐを管理する法人または団体（以下「管理者」という。）は、様々な企画のイベントを開催するために、イベント毎に出店希望者を募り、応募してきた事業者の中から出店者を決定し、イベント当日の出店状況や各インフラ設備２Ｅ，２Ｗの利用状況を管理する。この管理業務には、後述する管理システム１が用いられる。
【００２９】
図２は電源供給用の第１のインフラ設備２Ｅの電気構成の概略を示すもので、図３は水供給用の第２のインフラ設備２Ｗの電気構成の概略を示すものである。各インフラ設備２Ｅ，２Ｗには、先に述べた制御部２０および無線通信回路２１のほか、操作部および表示部として機能するタッチパネル２２，商用電源からの交流を直流に変換して上記の各構成２０，２１，２２に供給するＤＣ電源回路２３が設けられる。
【００３０】
第１のインフラ設備２Ｅには、さらに、装置の回路内に流れた電流を測定するための電流センサ２４，商用電源の中継回路２５，および外部の電気機器を接続するためのコンセント２６が設けられる。制御部２０は、電流センサ２４による測定値を取り込み、所定長さの時間（たとえば１０分）単位での使用電力量を算出して、その使用電力量に処理時刻を組み合わせたレポート情報を作成する。コンセント２６に電気機器が接続されていない間は、内部の回路で使用された電力量のみが測定され、電気機器が接続されると、その電気機器に供給された電力量が内部での使用電力量とを合わせた値が測定される。レポート情報は無線通信回路２１を介して管理システム１に通知されると共に、制御部２０の内部メモリにも保存され、保存されたレポート情報を呼び出し操作によってタッチパネル２２に表示させることもできる。
【００３１】
図示を省略したが、第２のインフラ設備２Ｗは、吐水部や給水管などを含む水栓装置である。給水管は連結用の配管を介して前記最寄りの建物の水道設備に連結され、その給水管の適所に水量センサ２７が設置される。店舗で業務を行う者は、吐水部のコックをひねることによって水の供給を受けることができる。
【００３２】
第２のインフラ設備２Ｗの制御部２０は、水量センサ２７による測定値を取り込んで、所定長さの時間（たとえば１０分）単位での使用水量を算出し、その使用水量に処理時刻を組み合わせたレポート情報を作成する。レポート情報は無線通信回路２１を介して管理システム１に通知されると共に、制御部２０の内部メモリにも保存され、保存されたレポート情報を呼び出し操作によってタッチパネル２２に表示させることもできる。
【００３３】
各インフラ設備２Ｅ，２Ｗからのレポート情報は、管理システム１のほか、電気や水の供給源である最寄りの建物の関係者又は関係者から委託を受けた第三者が管理するコンピュータシステム（以下「外部システム」という。図示は省略。）に送信することもできる。
【００３４】
図４〜６は、案内カウンターや店舗として使用される多機能カート３の構成を示すものである。この実施例の多機能カート３は、車輪や荷台を有するカート本体３Ａ（図４参照。）を必須の構成として、このカート本体３Ａに着脱可能に立設される業務用ユニット３Ｂ（図５）を組み合わせることにより、移動可能なミニ店舗として機能するものである。
【００３５】
図示例の業務用ユニット３Ｂは、カート本体３Ａより少し突き出る広さの天板３８を有するカウンターテーブルであり、その天板３８の上に、業務に使用する機器３９や商品などを載せて使用することができる。また、天板３８の下方の空間に棚を設けたり、その棚に並べられた商品を視認するための窓を前板に設けるなどのアレンジも可能である。
【００３６】
さらに業務用ユニット３Ｂは、カウンターテーブルに限らず、陳列機能を備える冷蔵庫または冷凍庫もしくは温熱庫が組み込まれたもの、調理台を備えたものなどの複数種のタイプがあり、各種タイプの中のいずれかが選択されて、カート本体３Ａに連結される。
【００３７】
カート本体３Ａと業務用ユニット３Ｂとはネジにより連結されるが、その連結は工具を用いて容易に解除することができる。したがって、商品や備品を運搬する目的でカート本体３Ａのみを使用することもでき、適宜、業務用ユニット３Ｂを取り替えることもできる。
【００３８】
カート本体３Ａは単なる台車ではなく、マイクロコンピュータによる制御部３０，無線通信回路３１，ＧＰＳ回路３２，ＤＣ電源回路３３，蓄電池ユニット３４，電流センサ３５，商用電源の中継回路３６，コンセント３７などを有するＩｏＴ機器である（図６参照。）。
【００３９】
図６の回路が第１のインフラ機器２Ｅなどを介して商用電源に接続されている場合には、ＤＣ電源回路３３により商用電源の交流から変換される直流が、制御部３０，無線通信回路３１，ＧＰＳ回路３２，および蓄電池ユニット３４の駆動回路に供給される。コンセント３７に業務用の電気機器３９（図５参照。）が接続されると、電源中継回路３６によって当該電気機器３９に商用電源の交流が中継される。図６の回路が商用電源に接続されていない場合にも、蓄電池ユニット３４の蓄電池を電源として、当該回路を同様に動作させ、電気機器３９にも交流を供給することができる。
【００４０】
制御部３０は、電流センサ３５による測定値や蓄電池の充電量を監視しながら、蓄電池ユニット３４の充電動作や放電動作を制御する。また、無線通信回路３１を介して管理システム１と交信することにより、ＧＰＳ回路３２により取得した位置情報を管理システム１に送信する。
【００４１】
なお、店舗としてキッチンカーなどの一般車両４が使用される場合には、車両４内のカーナビゲーション装置、またはスマートフォンやタブレット端末などの汎用の通信端末機器からの位置情報が管理システム１に送信される。さらに各店舗は、ＰＯＳレジ用のアプリケーションが組み込まれた汎用通信端末機器または専用のＰＯＳレジ端末を業務に使用しており、これらからも位置情報を含む売上げ通知が管理システム１に送信される。また多機能カート３にＰＯＳレジの機能を組み込むことも可能である。
【００４２】
図７は、イベントの運営を管理する管理システム１の構成を示す機能ブロック図である。この管理システム１は、インターネットサーバーおよび入力用のＰＣ端末を含むコンピュータネットワークシステムであって、複数種のデータベースを含むデータベース部１０，会員情報管理部１０１，申込受付処理部１０２，出店者決定処理部１０３，出店管理部１０４，インフラ管理部１０５，精算処理部１０６，顧客対応処理部１０７，処理条件入力部１０８，および店舗、インフラ設備、外部システム、イベント会場を訪れる顧客のそれぞれに対する通信処理部１０９〜１１２などが含まれる。
【００４３】
データベース部１０には、会員データベース１１，スケジュール管理データベース１２，出店者管理データベース１３，区画管理データベース１４，インフラ設備管理データベース１５，インフラ利用管理データベース１６など（図７では各データベースを「ＤＢ」と略して記載。）が含まれる。
【００４４】
図８は、上記の各データベース１１〜１６に保存される情報の概略や各データベース１１〜１６間の関係を示すものである。以下、図７および図８を参照して、各データベース１１〜１６やプログラムによる各種処理部１０１〜１１２の機能について、説明する。
【００４５】
会員データベース１１は、イベント会場Ｐで販売などの業務を行うことが可能な個人・法人を会員として管理するためのもので、会員の連絡先を含む固有情報が登録される基本情報管理テーブル１１ａ，業務に使用される機器に関する情報が登録される機器管理テーブル１１ｂ，過去の出店に関する詳細出店履歴情報１１ｄおよび当該履歴情報の分析により作成される出店履歴管理テーブル１１ｃなどが含まれる。各テーブル１１ａ，１１ｂ，１１ｃや詳細出店履歴情報１１ｄは、会員に固有の識別情報（以下「会員ＩＤ」という。）を介して紐付けられている。この紐付けがなされた一群の情報は［課題を解決するための手段］に記載した「店舗関連情報」に相当するものである。
【００４６】
会員情報管理部１０１は、店舗用の通信処理部１０９と協働して、基本情報管理テーブル１１ａおよび機器管理テーブル１１ｂに対する登録処理を実行する。
具体的には、通信処理部１０９が、インターネット上の会員登録用サイトを介して、イベント会場Ｐへの出店を希望する事業者の通信端末機器（ＰＣ，スマートフォンなど）から基本情報を受け付ける。会員情報管理部１０１は、受け付けられた情報に新規の会員ＩＤを紐付けて会員データベース１１の基本情報管理テーブル１１ａに登録する。なお、会員ＩＤやパスワードは、重複登録されないことを前提に、会員により指定される内容のものを登録することができ、また適宜変更することも可能である。
【００４７】
会員登録を完了した事業者が、登録された会員ＩＤやパスワードを用いて、業務に使用する機器（以下「業務用機器」という。）から管理システム１にアクセスした場合も、会員情報管理部１０１は通信処理部１０９と協働して、そのアクセスに対する認証を行った後、業務用機器からの送信情報に含まれるＭＡＣアドレスや機器の種別などの情報を抽出し、機器管理テーブル１１ｂに登録する。ＭＡＣアドレスは、機器の識別情報（以下「機器ＩＤ」という。）として登録される。
【００４８】
業務用機器として登録できるのは、ＧＰＳ回路および無線通信回路を備える機器、具体的には、先に述べた多機能カート３、カーナビゲーション装置、ＰＯＳレジ端末などの専用機器や、業務用のアプリケーションが組み込まれた汎用の通信端末機器である。なお、一会員に対して、複数の業務用機器を登録する（たとえば多機能カート３とＰＯＳレジ端末）ことも可能であり、またイベント会場Ｐに出店した後での登録も可能である。
【００４９】
会員毎の詳細出店履歴情報１１ｄには、過去に開催されたイベントに対する出店希望の提出の有無、出店者決定用の抽選での当選の有無、当選後に実際に出店をしたか否か、出店した場合の位置情報および売上げ情報の履歴などが含まれる。これらの情報は、会員登録後の申込受付処理部１０２，出店者決定処理部１０３，出店管理部１０４での処理に伴って蓄積される。蓄積された情報は、会員情報管理部１０１や出店管理部１０４により分析されて、これまでの出店回数、出店決定用抽選への当選回数、当選後に出店がキャンセルされた回数、過去の売上げの累積値や平均値などの数値情報が導出され、これらが出店履歴管理テーブル１１ｃに登録される。
【００５０】
スケジュール管理データベース１２には、イベント会場Ｐで開催される予定のイベントに関して管理者により入力された情報が登録される。この登録情報には、イベントを特定する識別コード（イベントＩＤ）、イベント名、イベントの開催日時および終了日時、出店受付の開始日時および終了日時などが含まれる。
【００５１】
出店者管理データベース１３には、出店者として決定された会員の会員ＩＤと当該会員に割り当てられた区画の識別情報（区画ＩＤ）との組み合わせが登録される。区画管理データベース１４には、イベント会場Ｐの個々の区画毎に、種別，あらかじめ各区画内で測定された位置情報（区画の中央部の緯度・経度），最寄りのインフラ設備の識別情報（設備ＩＤ），そのインフラ設備に対する相対位置などが登録される。
【００５２】
インフラ設備管理データベース１５には、各インフラ設備２Ｅ，２Ｗの種別およびあらかじめ測定された位置情報（緯度・経度）が、設備ＩＤに紐付けられて登録される。インフラ利用管理データベース１６には、各インフラ設備２Ｅ，２Ｗにおけるイベント期間中の累積使用量が保存される管理テーブル１６ａやその元情報である詳細使用履歴情報１６ｂなどが、設備毎に登録される。
【００５３】
出店者管理データベース１３と区画管理データベース１４とは、イベント会場Ｐの区画ＩＤを介して紐付けられ、区画管理データベース１４，インフラ設備管理データベース１５，インフラ管理データベース１６は、インフラ設備の設備ＩＤを介して紐付けられる。
【００５４】
区画管理データベース１４およびインフラ設備管理データベース１５の登録情報は、管理システム１の運営者があらかじめ準備して入力したものであるが、イベント会場Ｐの構成の変化などに応じて、適宜、更新することもできる。
【００５５】
申込受付処理部１０２は、スケジュール管理データベース１２に登録された出店受付開始日時や終了日時に従って、会員データベース１１に登録された会員ＩＤやパスワードによりログインした通信端末機器からの出店希望通知を受け付ける。出店受付期間が終了すると、出店者決定処理部１０３により出店者および出店区画が決定され（詳細は後述する。）、各出店者の会員ＩＤと出店区画の区画ＩＤとの組み合わせが出店者管理データベース１３に登録される。
【００５６】
出店管理部１０４は、スケジュール管理データベース１２に登録されたイベント開始日時や終了日時に基づき処理を実行すべき期間を判別し、その期間に入ると、出店者管理データベース１３と会員データベース１１との間のリンクを辿って、各区画の出店者が使用する業務用機器の機器ＩＤを特定し、その機器ＩＤを持つ業務用機器と通信処理部１０９を介しての交信を行って、出店者の状態を判別する。
【００５７】
インフラ管理部１０５も、同様にスケジュール情報に基づき処理を実行すべき期間を判別し、その期間に入ると、インフラ設備用の通信処理部１１０と協働して各インフラ設備２Ｅ，２Ｗとの交信を開始し、前述したレポート情報を取得する。そして各レポート情報を分析し、その分析結果によりインフラ利用管理データベース１６を更新する。
【００５８】
精算処理部１０６は、イベントの終了後の管理者の指定操作に従って起動して、インフラ利用管理データベース１６の管理テーブル１６ａに登録された累計使用量に基づき電気および水の使用料金を算出する。さらに精算処理部１０６は、累計使用量や使用料金の算出結果を含む通知を、通信処理部１１１を介して外部システムに送信するなど、使用料金の支払いに関連する処理を実行する。
【００５９】
顧客対応処理部１０７は、顧客用の通信処理部１１２と協働して不特定多数の通信端末機器からのアクセスを受け付け、アクセス後の要求に応じた応答を返す。たとえば、特定の店舗の検索要求や業種を指定しての検索要求を受け付けた場合には、会員データベース１１や区画管理データベース１４を参照して検索条件に適合する店舗を特定し、その出店区画を示す地図の表示用データを送信する。イベントＰの内部や周辺に相当する位置情報を含む検索要求を受けた場合には、当該位置情報の表示を含むナビゲーション入り地図の表示用データを送信することもできる。合わせて、詳細出店履歴情報１１ｄに含まれる位置情報や売上げ情報を分析することによって検索条件に該当する店舗が営業中であるか否かを判別し、その判別結果を通知することもできる。
【００６０】
なお、図８では、１つのイベント会場Ｐに関するデータ構成のみを表しているが、管理対象のイベント会場が複数ある場合には、スケジュール管理データベース１２、出店者管理データベース１３、区画管理データベース１４、インフラ設備管理データベース１５、インフラ利用管理データベース１６には、イベント会場毎に図８に示した各種情報が登録され、これらの情報群がイベント会場の識別情報を介して紐付けされる。
【００６１】
以下、上記の管理システム１において重要度が高い出店者決定処理部１０３，出店管理部１０４，インフラ管理部１０５が実行する処理について、詳細に説明する。
【００６２】
＜出店者決定処理＞
この実施例では、先着順に出店者を決定する方法をとらず、スケジュール管理データベース１２に登録されている出店受付開始日時から出店受付終了日時までの期間（以下「受付期間」という。）内に、会員からの出店希望通知を受け付け、期間終了後に抽選により出店者を選択するようにしている。この抽選に際しては、イベントの主催者から指定された条件が管理システム１に入力され、その条件に適した会員に対する当選確率が高められる。
【００６３】
図９は、上記の抽選の条件を設定するための設定画面の例として、同じイベント会場Ｐで異なる日に開催される２つのイベントに関する設定画面を左右に並べて示している。
例示の設定画面には、スケジュール管理データベース１２に登録されたイベント名称や開催期間を含む案内情報と共に、過去の出店履歴に関する条件を指定するための第１指定領域５１や、業種別の出店数を指定するための第２指定領域５２が含まれている。
【００６４】
第１指定領域５１には、条件となるパラメータを選択するためのコンボボックス５０が３つ設けられている。これらのコンボボックス５０には、出店履歴管理テーブル１１ｃに登録されている各種の数値情報が選択肢として設定されており、いずれかの数値情報が選択されると、対応する数値について、数値が高いほど優先度を高くする設定を行うための選択肢（「多い」を優先）と、数値が低いほど優先度を高くする設定を行うための選択肢（「少ない」を優先）とが現れる。
【００６５】
各コンボボックス５０に対する選択は、他のコンボボックス５０との間で選択肢が重複することがない限り、自由に行うことができ、優先の順序も自由に変更することができる。ただし、「キャンセル回数」を選択した場合の優先の順序は、『「少ない」を優先』に固定される（図９の例１を参照。）。
【００６６】
第２指定領域５２には、複数（図示例では５つ）の業種毎に、「詳細設定」のボタン５３が設けられている。この実施例では、様々な業種をツリー構造に分類して管理しており、第２指定領域５２では、ツリー構造の最上位のカテゴリの業種名が「詳細設定」のボタン５３に対応づけられて表示されている。ボタン５３が操作されると、対応するカテゴリに属する下位の業種名の一覧画面（図示省略）が表示され、この画面で業種毎に出店数が入力され、入力が完了して一覧画面が閉じられると、入力された出店数の合計値が対応する上位カテゴリに設定されて、第２指定領域５２の表示に反映される。なお、出店数は、下位カテゴリの単位ではなく、上位カテゴリの単位で指定することもできる。
【００６７】
図１０は、第１指定領域５１で設定された条件を出店者決定用の抽選に反映させるために出店者決定処理部１０３に相当するプログラムに組み込まれた重み付けテーブルの例である。この例では、出店希望者を、条件に対応する数値の優先順にソートした後に、順位に応じてＡ，Ｂ，Ｃの３ランクに分類し、条件とランクとの組み合わせ毎に重みを変動させている。具体的には、ソート後の順位の上位２０％に入る出店希望者がＡランクに分類され、下位の２０％に入る出店希望者がＣランクに分類され、残りの６０％がＢランクに分類されている。いずれの条件でも、Ａランクに対する重みがＢランクに対する重みより大きく、Ｃランクに対する重みは０（重みなし）に設定されている。また、各条件間で比較すると、条件１に対する重みが最も大きく、条件２に対する重みが２番目となり、条件３に対する重みが３番目となる。
【００６８】
なお、上位のランク分けは、分類の対象となる出店希望者の数および条件に対応する数値の分散がそれぞれ所定の基準値を超えた場合に実施される。よって、応募数を十分に上回る数の出店希望者が得られるようになり、ある程度の数のイベントの実施によって会員間の出店履歴情報のばらつきが大きくなったときにランク分けが行われて、指定された条件への適合度が高い出店希望者をＡランクに入れることが可能になる。出店希望者の数または条件に対応する数値の分散が基準値以下の場合には、重み付けのない単純抽選が行われるので、過去の実績のわずかな差で当選確率に差が生じるのを防ぐことができる。
【００６９】
図１１は、出店者決定処理部１０３により実行される処理の概略手順を示すフローチャートである。この処理は、申込受付処理部１０２による出店希望通知の受付が完了した後、図９に示した設定画面による条件の設定が確定したことに応じて開始される。
【００７０】
以下、適宜、図９，図１０を合わせて参照して、図１１の処理を説明する。
この実施例の出店者決定処理では、最初のステップＳ１で、受け付けられた全ての出店希望通知から会員ＩＤを抽出し、以下の処理の対象として保存した後に、業種別処理のループＬ０（ステップＳ２〜Ｓ１５）に入る。このループＬ０は、出店数が指定された業種毎に実行されるもので、設定画面内の第１指定領域５１で指定された条件毎の処理のループＬ１（ステップＳ４〜Ｓ１０）を含む入れ子構造になっている。
【００７１】
ループＬ０では、ステップＳ１で保存された対象会員ＩＤにより会員データベース１１の基本情報管理テーブル１１ａを参照して、現在の処理対象の業種に紐付けられている対象会員ＩＤを選択候補として抽出する。ここで抽出された会員ＩＤを、以下「候補ＩＤ」という。
【００７２】
ここでループＬ１に入り、各候補ＩＤについて、出店履歴管理テーブル１１ｃから第１条件で設定された数値情報を抽出し（ステップＳ６）、この数値情報をキーとして各候補ＩＤを設定された条件に従ってソートした後、図１０に示した重み付けテーブルの定義に従って、ソート後の各候補ＩＤをＡ，Ｂ，Ｃのランクに分類する（ステップＳ７）。さらに、重み付けテーブルから着目中の条件に係るランク毎の重みを読み出し、各候補ＩＤにそれぞれに対応する重みを設定する（ステップＳ８）。
【００７３】
条件２，３に対しても同様に、ステップＳ６〜Ｓ８が実行されてループＬ１が終了すると、ステップＳ１０において、候補ＩＤ毎に、上記のループＬ１で設定された条件毎の重みの合計値に対応する数の枝番が設定される。図１０によれば、たとえば、条件１に関する数値はＡランク、条件２に関する数値はＢランク、条件３に関する数値はＣランクとなった候補ＩＤでは、重みの合計値は９となり、９個の枝番が設定される。また、条件２および条件３に関する数値はＣランクであるが、条件１に関する数値はＡランクとなった候補ＩＤでは、重みの合計値は６となり、６個の枝番が設定される。一方、どの条件に関してもＣランクとなった候補ＩＤでは、重みの合計値は０となり、枝番は設定されないため、当選確率は最も低くなる。
【００７４】
ステップＳ１１では、枝番を含む全ての候補ＩＤを対象として、着目中の業種に対して設定されている数の候補ＩＤを選択する抽選を実行する。枝番も元の候補ＩＤと同じものとして取り扱われるので、枝番が多いほど当選確率が高められる。つぎのステップＳ１２では、当選した候補ＩＤを、以後の処理のために保存する（保存される候補ＩＤを、以下では「当選ＩＤ」という。）と共に、候補ＩＤから削除（枝番がある場合には枝番も含めて削除）する。さらに、ステップＳ１３では、ステップＳ１１で設定された枝番を含む非当選の候補ＩＤを削除し、これをもって１回分のループＬ０を終了する。
【００７５】
出店者数が指定された全ての業種に対するループＬ０が終了した後は、ステップＳ１５において、毎回のループＬ０のステップＳ１２で保存された当選ＩＤを対象として、区画の割り当て処理を実行する。たとえば、あらかじめ各区画に対して業種が指定されている場合には、区画毎または同じ業種に対応する区画のグループ毎に、対応する業種に紐付けられている当選ＩＤを対象にした抽選を実行する。また出店希望通知に出店希望の区画が含まれている場合には、区画毎に、その区画への出店希望に紐付けられている当選ＩＤを抽出してそれらの中の１つを選択する抽選を実行する。各抽選では、出店者決定処理での抽選と同様の重み付けを行ってもよいし、逆に当選確率に差を設けない単純抽選を実行してもよい。
【００７６】
ステップＳ１５には、各当選ＩＤに対して割り当てられた区画の区画ＩＤと当選ＩＤとの組み合わせを出店者管理データベース１３に登録する処理も含まれる。ステップＳ１５が終了すると、出店者決定処理部１０３は、出店者管理データベース１３に登録された当選ＩＤ（出店者の会員ＩＤ）により基本情報管理テーブル１１ａを検索して、当該会員ＩＤに紐付けられているメールアドレスを抽出し、そのアドレス宛のＥメールにより出店決定通知を発送する（ステップＳ１６）。このステップＳ１６をもって、出店者決定処理は終了となる。
【００７７】
出店者決定通知には、出店者に関して出店者管理データベース１３に登録された区画ＩＤや各区画と区画ＩＤとの関係を示す地図情報などを含めるのが望ましい。また管理者の側での確認や来場者への案内の用途もかねて、各出店者と区画とを対応づけた地図情報を作成し、出店者決定通知に添付するか、又は地図情報が保存されたインターネット上のアドレス（ｕｒｌ）へのリンクを設定してもよい。
【００７８】
出店者決定通知はＥメールに限らず、ＳＮＳの通知機能を用いてもよい。または郵便による通知を行うために、通知の内容や基本情報に含まれる連絡先住所を印刷したり、電話による通知を行うために、出店者の電話番号リストを表示してもよい。
【００７９】
なお、条件別処理のループＬ１は、条件１，２，３のうちの具体的な内容が設定されているものに対して実行されるもので、設定が行われていない条件に対する処理に入った場合には、直後のステップＳ５で「ＮＯ」の判定が行われてループＬ１が終了する。条件１，２，３のいずれに関しても具体的な条件が設定されなかった場合には、ループＬ１およびステップＳ１０は実質的にスキップされて、ステップＳ１１において重み付けのない抽選が実行される。また、いずれの業種に対しても出店者数の指定が行われなかった場合には、ステップＳ１で保存された全ての対象会員ＩＤを候補ＩＤとして、ループＬ０が一回のみ実行される。
【００８０】
上記のとおり、この実施例では、条件１〜３の設定内容に基づき各候補ＩＤに重みを設定し、その重みの値に応じた数の枝番を付与する方法により当選確率を調整したが、当選確率を調整する方法はこの実施例の方法に限定されるものではない。また、出店者の決定は抽選に限らず、たとえば重みの合計値または平均値が高い順に出店数分の候補ＩＤを選択する方法により、出店者を決定してもよい。
【００８１】
出店者決定処理のための条件設定におけるパラメータも、出店履歴管理テーブル１１ｃに登録されている数値情報や業種に限定されるものではない。たとえば、業務用機種の指定（多機能カート３を使用する店舗を指定）や会員の住所・居所を指定することもできる。
【００８２】
＜出店管理＞
上記の出店者決定処理が終了した後、イベント当日に、出店者が業務用機器を作動させると、当該機器では、あらかじめ組み込まれたプログラムに基づき管理システム１との交信を開始して、所定の時間毎に位置情報を含む通知を管理システム１に送信する。
【００８３】
一方、管理システム１では、スケジュール管理データベース１２に登録されたイベントの開始日時より所定時間前になると、出店管理部１０４による出店管理が開始される。この出店管理では、上記の通知が出店者毎にチェックされ、その判別結果に応じて、各出店者の状態を「０」「１」「２」の３値のいずれかで表すフラグ（以下「状態フラグ」という。）が設定される。
【００８４】
状態フラグの「０」は業務用機器が通信不可能状態であることを意味し、「１」は、業務用機器は通信可能であるが割り当てられた区画の外に位置していることを意味し、「２」は、業務用機器は通信可能かつ割り当てられた区画内に位置していることを意味する。出店管理処理が開始された時点では、いずれの出店者についても、状態フラグは「０」に設定される。
【００８５】
図１２は、出店管理の対象となる一出店者（図１１のステップＳ１１での抽選に当選してステップＳ１６の出店者決定通知が発送された会員）に対して実施される１回分の処理の手順を示すものである。いずれの出店者に対しても、少なくともスケジュール情報が示すイベントの開催期間中に、図１２に示す処理が繰り返し実行される。
【００８６】
出店管理部１０４は、まず、処理対象の会員の会員ＩＤ（以下「着目ＩＤ」という。）により会員データベース１１内の機種管理テーブル１１ｂを参照して、当該着目ＩＤに紐付けられている機種ＩＤを特定し（ステップＳ２１）、この機種ＩＤの業務用機器からの通知が届いているか否かをチェックする（ステップＳ２２）。業務用機器からの通知が確認されるまでの間は、ステップＳ２２での「ＮＯ」判定とステップＳ３２での「ＹＥＳ」判定とが行われて終了となる状態が続く。
【００８７】
業務用機器からの通知が確認されたことによりステップＳ２２で「ＹＥＳ」と判定されると、出店管理部１０４は、その通知から位置情報を抽出し、着目ＩＤに対する出店者管理データベース１３と区画管理データベース１４との間のリンクを辿って、当該着目ＩＤに紐付けられている区画の位置情報を取得し、各位置情報を照合する（ステップＳ２３）。各位置情報が示す地点の間の距離が所定の許容値以内であれば、双方は一致すると判定されて（ステップＳ２４で「ＹＥＳ」の判定）、ステップＳ２５の判定を経てステップＳ２６に進み、状態フラグが「２」に変更される。一方、各位置情報が一致しないと判定された場合（ステップＳ２４で「ＮＯ」の判定）には、ステップＳ２７の判定を経てステップＳ２８に進み、状態フラグが「１」に変更される。
【００８８】
さらに、業務用機器からの通知に売上げ情報が含まれる場合（ステップＳ２９で「ＹＥＳ」の判定）には、その売上げ情報を、通知を受けた時刻、位置情報、および状態フラグと組み合わせて、詳細出店履歴情報に追加する（ステップＳ３０）。業務用機器からの通知に売上げ情報が含まれない場合（ステップＳ２９で「ＮＯ」の判定）には、通知を受けた時刻、位置情報、状態フラグの組み合わせを詳細出店履歴情報１１ｄに追加する（ステップＳ３１）。
【００８９】
その後の処理でも同様に、業務用機器からの通知を受けている間は、その通知中の位置情報が処理対象の会員に割り当てられた区画の位置情報に適合するか否かが判別され（ステップＳ２２〜Ｓ２４）、その判別結果が前回と同じであれば、ステップＳ２５又はＳ２７で「ＹＥＳ」と判定されて状態フラグが維持され、前回とは異なる判別結果になった場合には、ステップＳ２５又はＳ２７で「ＮＯ」と判定されて状態フラグが変更される（ステップＳ２６又はステップＳ２８）。
【００９０】
通知を受けていた業務用機器から通知が届かない状態になると、ステップＳ２２およびステップＳ３２での判定が「ＮＯ」となり、出店管理部１０４は、状態フラグを「０」に変更し（ステップＳ３３）、その状態フラグを現在時刻と組み合わせて保存する（ステップＳ３４）。その後に業務用機器からの通知が再開されてステップＳ２２の判定が「ＹＥＳ」となると、再びステップＳ２３〜Ｓ３１の手順が実行される。
【００９１】
なお、同じ会員に対して複数の業務用機器が登録されている場合には、登録されている業務用機器毎に通知の有無や状態フラグの現在値や位置情報の判別が行われた後に、機器毎の判別結果を統合して状態フラグの値を決定する。その際に業務用機器毎の判別結果に矛盾が生じた場合には、売上げ情報の送信機能を持つ業務用機器からの通知に対する判別結果を優先して採用する。
【００９２】
また、図１２の例では、各業務用機器から管理システム１に定期的に送信される通知を管理システム１において確認することとしたが、これに限らず、出店者に関して登録されている業務用機器に対して管理システム１から順に問い合わせを行い、その問い合わせに対する業務用機器からの返信の有無や返信の内容を判別するようにしてもよい。
【００９３】
図１２に示した出店管理処理によれば、たとえば、イベントの開催時刻より所定時間前に、出店者の業務用機器がイベント会場Ｐ内の無線通信網に入り、位置情報の通知が初めて管理システム１に届いたときに、ステップＳ２２の判定が「ＹＥＳ」となって、ステップＳ２３，Ｓ２４，Ｓ２７，Ｓ２８の流れで処理が進み、状態フラグが「０」から「１」に変更される。さらに、ステップＳ２９からステップＳ３１に進んで、変更後の状態フラグが時刻や位置情報と共に記録される。この後も、通知される位置情報が区画の位置情報に一致するまでは、同様の流れ（ただしステップＳ２８はスキップされる。）で処理が進み、状態フラグは「１」で維持される。
【００９４】
上記の業務用機器が対応する会員に割り当てられた区画に入ると、ステップＳ２１，Ｓ２２，Ｓ２３，Ｓ２４，Ｓ２５，Ｓ２６の流れで処理が進み，状態フラグは「１」から「２」に変更される、さらに、ステップＳ２９からステップＳ３１に進んで、変更後の状態フラグが時刻や位置情報と共に記録される。その後も、業務用機器が出店会員に紐付けられた区画に滞在している間は同様の流れ（ただしステップＳ２６はスキップされる。）で処理が進み、状態フラグは「２」で維持される。さらに、業務用機器から売上げ情報を含む通知が送信されるようになると、ステップＳ２９からステップＳ３０に移行し、詳細出店履歴情報１１ｄに売上げ情報が追加される。
【００９５】
業務用機器が割り当てられた区画から出た場合には、ステップＳ２１，Ｓ２２，Ｓ２３，Ｓ２４，Ｓ２７，Ｓ２８の流れで処理が進み、状態フラグは「１」に変更され、その後、ステップＳ２９を経てステップＳ３０またはＳ３１に進み、変更後の状態フラグを含む情報が詳細出店履歴情報１１ｄに追加される。
【００９６】
スケジュール情報が示すイベント終了日時を過ぎて、全ての出店者に関する状態フラグが「０」になると、図１２に示した処理は終了する。この後、出店管理部１０４は、各出店者の詳細出店履歴情報１１ｄを個別に分析して、出店の有無、割り当てられた区画への滞在時間、区画からの途中退出の有無、累計売上げ、割り当てられた区画外での営業の有無などを特定し、それらの特定結果により出店履歴管理テーブル１１ｃを更新する。
【００９７】
さらに出店管理部１０４は、イベント期間中も、図１２に示した処理と並列させて詳細出店履歴情報の分析を行い、割り当てられた区画の外にいる時間が所定の許容時間を超える業務用機器や、位置情報の通知や売上げ情報を含む通知が所定時間以上受信できない業務用機器の機器ＩＤを抽出する。この抽出結果は、イベント会場の現場の見回り用に使用できるように、現場にいる担当者の通信端末機器などに送信される。これにより、誤って他の区画に出店をしている店舗のサポートや売上を隠匿するためにＰＯＳレジを停止させるような不正行為への対処を行うことができる。
【００９８】
＜インフラ利用管理＞
イベント会場Ｐ内の各インフラ設備２Ｅ，２Ｗの制御部２０は、電流センサ２４または水量センサ２７による測定値に基づき、単位時間毎の電気または水の使用量を算出し、その算出結果や自装置の設備ＩＤを含むレポート情報を管理システム１に送信する。管理システム１では、このレポート情報をインフラ設備用の通信処理部１１０により受け付け、インフラ管理部１０５により、図１３に示す手順に従って処理する。
【００９９】
図１３に示すインフラ利用管理は、スケジュール情報が示すイベントの開始時刻の所定時間前から開始され、各インフラ設備に対する個別処理のループＬ４（ステップＳ４１〜Ｓ４４）が、イベントの終了時刻になるまで繰り返し実行される。
【０１００】
ループＬ４では、着目中のインフラ設備の設備ＩＤに対応する通知を取得し（ステップＳ４２）、その通知に含まれる使用量データを設備ＩＤおよび通知時刻と組み合わせてインフラ利用管理データベース１６の詳細使用履歴情報１６ｂに追加する（ステップＳ４３）。なお、この場合にも、インフラ設備からの通知を取得する方法に代えて、管理システム１から各インフラ設備２Ｅ，２Ｗに問い合わせを行い、その問い合わせに対する返信に含まれる使用量データを取得してもよい。
【０１０１】
イベントの終了時刻になり、そのときに実行されているループＬ４が終了すると、ステップＳ４５での判定が「ＹＥＳ」となってステップＳ４６に進む。このステップＳ４６でインフラ管理部１０５は、インフラ設備２Ｅ，２Ｗ毎に詳細使用履歴情報１６ｂを抽出して電気または水の累計使用量を算出し、その累計使用量と対応するインフラ設備２Ｅまたは２Ｗの設備ＩＤと組み合わせて管理テーブル１６ａに登録する。
【０１０２】
上記インフラ利用管理の終了後の管理システム１では、管理者の指定操作に従って作動した精算処理部１０６によって、インフラ利用管理データベース１６内に登録された累計使用量に基づく利用料金が算出され、その算出結果を含む通知が通信処理部１１１によって外部システム（電気・水の供給元施設の関係者又は第三者により管理されるシステム）に送信される。
【０１０３】
なお、各インフラ設備２Ｅ，２Ｗからのレポート情報を、外部システムにも送信し、外部システムでも図１３と同様の処理を行うようにしてもよい。その場合には、精算処理部１０６は、外部システムとの通信により詳細使用履歴情報または累計使用量の計算結果の整合性を確認した上で、利用料金の計算を行ってもよい。または、外部システムから累計使用量や利用量料金の計算結果に基づく請求通知を受け取り、精算処理部１０６において、自システムでの処理結果との整合性を確認してもよい。
【０１０４】
出店者に対しては、たとえば、出店区画やインフラ設備の利用料として定めた一定の金額に、イベント期間中の累計売上額に所定の率を掛けた額を加算した額を請求することができるが、これに限定されるものではない。
【０１０５】
上記の管理システム１によれば、相当数の会員を登録して上記図１１〜１３を含む処理を繰り返すことにより、出店希望通知を受け付けた会員の中から、指定された条件に適した会員を出店者として選択することが可能になる。したがって、イベントの内容や主催者の狙いをふまえて出店者の顔ぶれを変動させることができ、魅力の高いマーケットを運営することができる。
【０１０６】
なお、図１〜３に示したインフラ設備２Ｅ，２Ｗや図４〜６に示した多機能カート３は、マーケットの運営だけでなく、災害発生などの緊急時に、電気および水、ならびに無線通信環境を提供するために利用することもできる。
【０１０７】
ここまで、特定の期間中に開催されるイベントにおけるマーケットの管理について説明したが、これに限らず、常設のマーケットにおいても、日，週，月などの単位で出店希望を受け付けて、上記と同様の出店者決定処理や出店管理を行うことができる。また、ある程度の距離を隔てて点在する複数の小規模スポットを１つのグループにまとめて、各スポットに対する出店希望を期間を限定して受け付けて、当該期間の終了後に上記実施例と同様の出店者決定処理や出店管理を行うことも可能である。その場合には、出店者決定処理の条件をスポット毎に変動させてもよい。
【０１０８】
また、上記の実施例の管理システム１では、各会員の営業実績について、当該システムで管理しているマーケット会場Ｐに出店した場合にのみ当該会場内で発生した位置情報や売上げ情報を収集して、後日の出店者決定処理に使用できるようにしているが、これに限らず、マーケット会場Ｐの外で生じた情報も収集して、出店者決定処理の条件を指定する場合のパラメータとしてもよい。
【０１０９】
各変形例を含む本発明の管理システムによれば、単なる先着順ではなく、出店場所の周囲の環境、客層、管理者の側の目的などをふまえて出店者の条件を設定し、その条件に適した会員を優先的に出店させることができる。
【符号の説明】
【０１１０】
１    マーケット管理システム
２Ｅ，２Ｗ  インフラ設備
３    多機能カート
３Ａ  カート本体
３Ｂ  業務用ユニット
３０  制御部
３１  無線通信回路
３２  ＧＰＳ回路
３３  ＤＣ電源回路
４    一般車両
１０  データベース部
１１  会員データベース
１２  スケジュール管理データベース
１３  出店者管理データベース
１０１  会員情報管理部
１０２  申込受付処理部
１０３  出店者決定処理部
１０４  出店管理部
【図１】
0006723553.tif 000002
【図２】
0006723553.tif 000003
【図３】
0006723553.tif 000004
【図４】
0006723553.tif 000005
【図５】
0006723553.tif 000006
【図６】
0006723553.tif 000007
【図７】
0006723553.tif 000008
【図８】
0006723553.tif 000009
【図９】
0006723553.tif 000010
【図１０】
0006723553.tif 000011
【図１１】
0006723553.tif 000012
【図１２】
0006723553.tif 000013
【図１３】
0006723553.tif 000014